(57)【要約】【課題】  ユーザの手の大きさに係わらず、片手で良好に握ることができる携帯端末機を提供する。【解決手段】  表面における縦方向下側に偏った位置にキー操作部５が設けられ、縦方向に長い携帯端末機であって、キー操作部５の裏側に位置する裏面に、携帯端末機の厚み方向に突出する突出部である指掛部１４が設けられ、この指掛部１４は、縦方向に延伸する第１の突出領域１５と、縦方向下側で第１の突出領域１５に連なり且つ縦方向下側に進むにつれ横方向に拡がる第２の突出領域１６と、を有している。従って、ユーザがキー操作部５を親指Ｆ１で操作すべく、親指Ｆ１をキー操作部５に被せるように且つ携帯端末機をキー操作部５の脇から片手で掴むように携帯端末機を保持するときに、保持手の他の指Ｆ２〜Ｆ５の各指先を携帯端末機の裏面に突き当てた状態で他の指Ｆ２〜Ｆ５の各腹で第１の突出領域１５に対して保持手側に向けてユーザが力を込めることができる。【選択図】        図３
2018120500.tif 000002
【特許請求の範囲】
【請求項１】
第１の面における縦方向下側に偏った位置に操作部が設けられ、前記縦方向に長い携帯端末機であって、
前記操作部の裏側に位置する第２の面に、当該携帯端末機の厚み方向に突出する突出部が設けられ、
前記突出部は、前記縦方向に延伸する第１の突出領域と、前記縦方向下側で前記第１の突出領域に連なり且つ前記縦方向下側に進むにつれ横方向に拡がる第２の突出領域と、を有し、
前記第１の突出領域は、ユーザが前記操作部を親指で操作すべく、前記ユーザが前記親指を前記操作部に被せるように且つ当該携帯端末機を前記操作部の脇から片手で掴むように当該携帯端末機を保持するときに、前記ユーザが保持手の他の指の指先を前記第２の面に突き当てた状態で前記他の指の腹で当該第１の突出領域に対して前記保持手側に向けて前記ユーザが力を込めることが可能な側面を有し、
前記第２の突出領域は、前記ユーザが前記操作部を前記親指で操作すべく、前記ユーザが前記親指を前記操作部に被せるように且つ当該携帯端末機を前記操作部の脇から片手で掴むように当該携帯端末機を保持するときに、前記ユーザが掌外沿をあてがうことが可能な側面を有していることを特徴とする携帯端末機。
【請求項２】
前記突出部は、前記横方向における中心位置を軸にして左右対称な形状に形成されていることを特徴とする請求項１に記載の携帯端末機。
【請求項３】
前記第１の面における縦方向上側に偏った位置に表示部が設けられていることを特徴とする請求項１または２に記載の携帯端末機。
【請求項４】
前記第１の突出領域は、前記横幅方向の長さが前記操作部における横幅方向の長さよりも短く形成されていることを特徴とする請求項１から３の何れかに記載の携帯端末機。
【請求項５】
前記突出部は、当該携帯端末機の内部に前記操作部と対応して設けられて前記第２の面に開放された電池収納部に開閉可能に取り付けられた電池蓋に、当該携帯端末機の厚み方向に突出して設けられていることを特徴とする請求項１から４の何れかに記載の携帯端末機。
【発明の詳細な説明】
【技術分野】
【０００１】
この発明は、手に持って使用する携帯端末機に関する。
【背景技術】
【０００２】
例えば、手に持って使用する携帯端末機においては、特許文献１に記載されているように、機器ケースを握り易く、かつ入力操作し易くするために、機器ケースを握り易い湾曲形状に形成すると共に、機器ケースの裏面に指掛突起部を設け、この指掛突起部に人差指を掛けた状態で、機器ケースを片手で握るように構成されたものが知られている。
【先行技術文献】
【特許文献】
【０００３】
【特許文献１】特開平１０−１１２８９１号公報
【０００４】
すなわち、この種の携帯端末機は、機器ケースの表面に設けられた操作部上に親指を載せ、機器ケースの裏面に設けられた指掛突起部に人差指をピストルの引金に掛けるのと同じように引っ掛けることにより、機器ケースを片手で握った状態で、親指で操作部を操作すると共に、指掛突起部に設けられたスイッチキーを人差指でキー操作するように構成されている。
【発明の概要】
【発明が解決しようとする課題】
【０００５】
しかしながら、このような携帯端末機では、これを使用するユーザの手の大きさがユーザごとに異なるため、機器ケースを片手で握る際に、機器ケースの縦方向と直交する幅方向の長さが長くなると、手の小さいユーザにとっては機器ケースが握りにくく機器ケースを確実に握ることができないという不都合がある。
【０００６】
また、このような携帯端末機では、指掛突起部に人差指を引っ掛けた際に、人差指によってスイッチキーが不用意に動作しないように軽く人差指を指掛突起部に引っ掛ける必要があるため、機器ケースを片手で確実に握るためには、指掛突起部の近傍に中指を掛ける指掛凹部を設けなければならないという不都合がある。
【０００７】
この発明が解決しようとする課題は、ユーザの手の大きさに係わらず、片手で良好に握ることができる携帯端末機を提供することである。
【課題を解決するための手段】
【０００８】
この発明は、第１の面における縦方向下側に偏った位置に操作部が設けられ、前記縦方向に長い携帯端末機であって、前記操作部の裏側に位置する第２の面に、当該携帯端末機の厚み方向に突出する突出部が設けられ、前記突出部は、前記縦方向に延伸する第１の突出領域と、前記縦方向下側で前記第１の突出領域に連なり且つ前記縦方向下側に進むにつれ横方向に拡がる第２の突出領域と、を有し、前記第１の突出領域は、ユーザが前記操作部を親指で操作すべく、前記ユーザが前記親指を前記操作部に被せるように且つ当該携帯端末機を前記操作部の脇から片手で掴むように当該携帯端末機を保持するときに、前記ユーザが保持手の他の指の指先を前記第２の面に突き当てた状態で前記他の指の腹で当該第１の突出領域に対して前記保持手側に向けて前記ユーザが力を込めることが可能な側面を有し、前記第２の突出領域は、前記ユーザが前記操作部を前記親指で操作すべく、前記ユーザが前記親指を前記操作部に被せるように且つ当該携帯端末機を前記操作部の脇から片手で掴むように当該携帯端末機を保持するときに、前記ユーザが掌外沿をあてがうことが可能な側面を有していることを特徴とする携帯端末機である。
【発明の効果】
【０００９】
この発明によれば、ユーザが手の大きさに係わらず、片手で確実にかつ良好に握ることができる。
【図面の簡単な説明】
【００１０】
【図１】この発明を携帯端末機に適用した第１実施形態を示した正面図である。
【図２】図１に示された携帯端末機の裏面図である。
【図３】図２に示された携帯端末機を左側から見た側面図である。
【図４】図１に示された携帯端末機を下辺側から見た側面図である。
【図５】図２に示された携帯端末機を斜め左下側から見た斜視図である。
【図６】図２に示された携帯端末機から電池蓋を取り外した状態を示した要部の拡大斜視図である。
【図７】図５に示された携帯端末機の電池蓋を示し、（ａ）はその電池蓋を斜め右上側から見た斜視図、（ｂ）はその電池蓋を斜め左下側から見た斜視図である。
【図８】図７に示された電池蓋を示し、（ａ）はその裏面図、（ｂ）はそれを左側から見た側面図、（ｃ）はそれを下辺側から見た側面図である。
【図９】この発明を携帯端末機に適用した第２実施形態を示した裏面図である。
【図１０】図９に示された携帯端末機を左側から見た側面図である。
【図１１】図１０に示された携帯端末機を下辺側から見た側面図である。
【図１２】図９に示された電池蓋を示し、（ａ）はその裏面図、（ｂ）はそれを左側から見た側面図、（ｃ）はそれを下辺側から見た側面図である。
【図１３】この発明を携帯端末機に適用した第３実施形態を示した裏面図である。
【図１４】図１３に示された携帯端末機を左側から見た側面図である。
【図１５】図１４に示された携帯端末機を下辺側から見た側面図である。
【図１６】図１３に示された電池蓋を示し、（ａ）はその裏面図、（ｂ）はそれを左側から見た側面図、（ｃ）はそれを下辺側から見た側面図である。
【発明を実施するための形態】
【００１１】
（第１実施形態）
以下、図１〜図８を参照して、この発明を適用した携帯端末機の第１実施形態について説明する。
この携帯端末機は、図１〜図５に示すように、機器ケース１を備えている。この機器ケース１は、縦方向（図１では上下方向）に長い縦長の長方形状に形成されている。この機器ケース１は、上部ケース２と下部ケース３とを有し、これらの内部にモジュール（図示せず）が組み込まれるように構成されている。
【００１２】
上部ケース２は、図１、図３〜図５に示すように、上面が長方形のほぼ平板状に形成され、その外周の側面部が下部ケース３に取り付けられるように構成されている。この場合、上部ケース２の上面における上辺側に偏った箇所、例えば上部ケース２の上面における上辺側の３分の２程度の箇所には、表示部４が設けられており、その下辺側に偏った箇所、例えば上部ケース２の上面における下辺側の３分の１程度の箇所には、キー操作部５が設けられている。
【００１３】
表示部４は、図１に示すように、平面型の表示パネルであり、ほぼ長方形状に形成されている。この表示部４は、上部ケース２に設けられた表示窓部４ａに対応した状態で上部ケース２内に配置され、表示された情報が上部ケース２の上方から見えるように構成されている。キー操作部５は、テンキー、カーソルキー、ファンクションキーなどの携帯端末機に必要な各種のキーを備えている。この場合、キー操作部５は、その上辺の中間部にトリガーキー５ａが配置されている。
【００１４】
下部ケース３は、図２〜図５に示すように、その裏面がほぼ平坦状に形成され、縦方向（図２では長手方向）と直交する横方向の両側面部が裏面（図４では下面）に向けて円弧状に湾曲して形成され、この側面部の上部（図４では上部）に上部ケース２の側面部の下部が取り付けられるように構成されている。この下部ケース３の上辺部側に位置する裏面には、図２に示すように、光学読取部（図示せず）の読取窓部６が設けられている。
【００１５】
この場合、下部ケース３の上辺部側に位置する裏面側には、図３および図５に示すように、山形状に突出する読取突起部６ａが設けられている。この読取突起部６ａの上辺側の斜面には、読取窓部６が設けられている。また、光学読取部は、レーザ光線を下部ケース３の読取窓部６から機器ケース１の外部に出射させ、そのレーザ光線の反射光を受光することにより、物品のバーコードなどを読み取るように構成されている。
【００１６】
また、この下部ケース３の縦方向（図２では上下方向）におけるほぼ中間部には、図２および図５に示すように、外部接続部（図示せず）を開閉可能に塞ぐ接続蓋７が取り付けられている。さらに、この下部ケース３の縦方向におけるほぼ中間部に位置する両側部には、トリガーキー８がそれぞれ設けられている。
【００１７】
また、この下部ケース３の下辺部側には、図５および図６に示すように、電池蓋１０が着脱可能に取り付けられる電池収納部１１が設けられている。この電池収納部１１は、充電池１２を収納するものであり、上部ケース２の下辺側に設けられたキー操作部５に対応した状態で、下部ケース３の内部に設けられて裏面側に開放された構成になっている。
【００１８】
この場合、電池収納部１１の縁部には、図２および図６に示すように、電池蓋１０を電池収納部１１に着脱可能に取り付けるための複数の取付レバー１３が設けられている。これら複数の取付レバー１３は、回転操作することにより、電池蓋１０の縁部を電池収納部１１に係脱可能に係止するように構成されている。
【００１９】
ところで、電池蓋１０は、図２〜図８に示すように、キー操作部５に対応する電池収納部１１を開閉可能に塞ぐように構成されている。この電池蓋１０は、下部ケース３の両側部から裏面側に向けて緩やかに湾曲して突出する湾曲形状に形成されていると共に、機器ケース１の縦方向（長手方向）と直交する横方向のほぼ中間部に突出部である指掛部１４が機器ケース１の裏面側に突出して形成された構成になっている。
【００２０】
この場合、突出部である指掛部１４は、図２〜図５、図７および図８に示すように、縦方向に延伸する第１の突出領域１５と、縦方向下側で第１の突出領域１５に連なり且つ縦方向下側に進むにつれ横方向に拡がる第２の突出領域１６と、を有している。この場合、指掛部１４および電池蓋１０の各表面には、多数の溝や多数の凹凸などの滑止め部１７が設けられている。また、この指掛部１４は、機器ケース１の縦方向と直交する横方向における中心位置を軸として左右対称な形状に形成されている。
【００２１】
第１の突出領域１５は、図２〜図５、図７および図８に示すように、機器ケース１の縦方向と直交する横方向の長さが電池蓋１０の横方向の長さ、つまりキー操作部５の横方向の長さよりも短い長さで、機器ケース１のほぼ中間部に位置した状態で、機器ケース１の縦方向に沿って長いほぼ長方形状に形成されている。この第１の突出領域１５は、機器ケース１の横方向の両側の各側面が指当部１５ａに形成され、この指当部１５ａが機器ケース１の縦方向に沿って設けられるように構成されている。
【００２２】
これにより、第１の突出領域１５は、図１〜図３に示すように、ユーザがキー操作部５を親指Ｆ１で操作すべく、ユーザが親指Ｆ１をキー操作部５に被せるように且つ機器ケース１をキー操作部５の脇から片手で掴むように機器ケース１を保持するときに、ユーザが保持手の他の指Ｆ２〜Ｆ５の各指先を電池蓋１０の裏面に突き当てた状態で他の指Ｆ２〜Ｆ５の各腹で第１の突出領域１５の側面である指当部１５ａに対して保持手側に向けてユーザが力を込められるように構成されている。
【００２３】
この場合、第１の突出領域１５の上辺部側には、図２および図３に示すように、ユーザが親指Ｆ１をキー操作部５に被せるように且つ機器ケース１をキー操作部５の脇から片手で掴むように機器ケース１を保持するときに、ユーザの人差指Ｆ２の位置を規制する指規制凹部１５ｂが設けられている。
【００２４】
一方、第２の突出領域１６は、図１〜図８に示すように、ユーザが掌外沿つまり小指Ｆ５の側部をあてがうことが可能な側面である指載部１６ａを備えている。この指載部１６ａは、キー操作部５の下辺部側に対応する指掛部１４の上部から電池蓋１０の両側部に向けて傾斜して設けられている。
【００２５】
これにより、第２の突出領域１６は、図１〜図８に示すように、ユーザがキー操作部５を親指Ｆ１で操作すべく、ユーザが親指Ｆ１をキー操作部５に被せるように且つ機器ケース１をキー操作部５の脇から片手で掴むように機器ケース１を保持するときに、ユーザが掌外沿である小指Ｆ５の側部を指載部１６ａにあてがうように構成されている。
【００２６】
次に、このような携帯端末機の作用について説明する。
この携帯端末機を使用する場合には、まず、機器ケース１の電池収納部１１内に充電池１２を収納し、この電池収納部１１に電池蓋１０を取り付ける。この状態で、電池蓋１０が位置する箇所の機器ケース１を片手で握る。このときには、親指Ｆ１を機器ケース１の表面のキー操作部５上に配置させ、他の指Ｆ２〜Ｆ５を機器ケース１の裏面に設けられた電池蓋１０の指掛部１４に引っ掛けって、機器ケース１の側部を手の平に押し当てる。
【００２７】
すなわち、このときには、ユーザがキー操作部５を親指Ｆ１で操作すべく、ユーザが親指Ｆ１をキー操作部５に被せるように且つ機器ケース１をキー操作部５の脇から片手で掴むように機器ケース１を保持すると共に、ユーザが保持手の他の指Ｆ２〜Ｆ５の各指先を電池蓋１０の裏面に突き当てた状態で他の指Ｆ２〜Ｆ５の各腹で第１の突出領域１５の側面である指当部１５ａに対して保持手側に向けてユーザが力を込める。
【００２８】
また、このようにユーザが機器ケース１を握る際には、突出部である指掛部１４に設けられた指規制凹部１５ｂに人差指Ｆ２が配置されることにより、この人差指Ｆ２が指規制凹部１５ｂによって位置規制されるので、他の指Ｆ３〜Ｆ５が指掛部１４に対して縦方向に位置規制され、機器ケース１を握った手が機器ケース１に対して縦方向に位置ずれすることがなく、良好に機器ケース１を保持することができる。
【００２９】
また、このようにユーザが機器ケース１を握る際には、ユーザがキー操作部５を親指Ｆ１で操作すべく、ユーザが親指Ｆ１をキー操作部５に被せるように且つ機器ケース１をキー操作部５の脇から片手で掴むように機器ケース１を保持するときに、ユーザが掌外沿である小指Ｆ５の側部を第２の突出領域１６の指載部１６ａにあてがうことができる。このため、小指Ｆ５を違和感なく指掛部１４に安定させて配置させることができ、機器ケース１を良好に握ることができる。
【００３０】
さらに、この機器ケース１は、下部ケース３の両側部から裏面側に向けて緩やかに湾曲して突出する湾曲形状に形成されていることにより、機器ケース１を片手で握った際に、手にフィットする。この場合、機器ケース１を握った際には、指掛部１４および電池蓋１０の各表面に設けられた多数の溝や多数の凹凸などの滑止め部１７によって、機器ケース１に対して手が不用意に滑らないように、良好に機器ケース１を握ることができる。
【００３１】
また、突出部である指掛部１４は、電池蓋１０の縦方向と直交する横方向のほぼ中間部に位置し、かつ電池蓋１０の横方向の長さよりも短い長さで、電池蓋１０の縦方向に沿って長く形成されていることにより、電池蓋１０の横方向における指掛部１４の両側に指当部１５ａが設けられている。これにより、この指掛部１４の両側の指当部１５ａのうち、その一方の指当部１５ａに親指Ｆ１を除く他の指Ｆ２〜Ｆ５を引っ掛けって機器ケース１の縦方向つまり長手方向と直交する横方向に確実にかつ良好に引き寄せることができる。
【００３２】
このため、例えば、手の大きさが小さいユーザが機器ケース１を握る際には、指掛部１４が電池蓋１０の縦方向と直交する横方向のほぼ中間部に位置し、かつ電池蓋１０の横方向の長さよりも短く形成されていることにより、機器ケース１の長手方向と直交する横方向の幅が広くても、その幅よりも短い長さで機器ケース１を握ることができるので、手の大きさが小さいユーザでも確実にかつ良好に機器ケース１を握ることができる。
【００３３】
また、ユーザが機器ケース１を片手で握る際に、指掛部１４が機器ケース１の横方向における中心位置を軸にして左右対称な形状に形成されていることにより、ユーザが右手でも左手でも機器ケース１を確実にかつ良好に握ることができる。このようにユーザが機器ケース１を握った際には、親指Ｆ１が表示部４を遮ることなくキー操作部５上に配置されるので、表示部４に表示された情報を見ながら、親指Ｆ１をキー操作部５上において自由に移動させて、キー操作部５を良好にキー操作することができる。
【００３４】
このように、この携帯端末機によれば、第１の面である表面における縦方向下側に偏った位置にキー操作部５が設けられて、縦方向に長い機器ケース１を備えた携帯端末機であって、キー操作部５の裏側に位置する第２の面である裏面に、機器ケース１の厚み方向に突出する突出部である指掛部１４が設けられ、この指掛部１４は、縦方向に延伸する第１の突出領域１５と、縦方向下側で第１の突出領域１５に連なり且つ縦方向下側に進むにつれ横方向に拡がる第２の突出領域１６と、を有しているので、ユーザの手の大きさに係わらず、機器ケース１を片手で良好に握ることができる。
【００３５】
すなわち、この携帯端末機では、第１の突出領域１５が、キー操作部５を親指Ｆ１で操作すべく、ユーザが親指Ｆ１をキー操作部５に被せるように且つ機器ケース１をキー操作部５の脇から片手で掴むように機器ケース１を保持するときに、ユーザが保持手の他の指Ｆ２〜Ｆ５の各指先を第２の面である裏面に突き当てた状態で他の指Ｆ２〜Ｆ５の各腹で第１の突出領域１５に対して保持手側に向けてユーザが力を込めることが可能な側面である指当部１５ａを有しているので、機器ケース１を片手で確実にかつ良好に握ることができる。
【００３６】
また、この携帯端末機では、第２の突出領域１６が、キー操作部５を親指Ｆ１で操作すべく、ユーザが親指Ｆ１をキー操作部５に被せるように且つ機器ケース１をキー操作部５の脇から片手で掴むよう機器ケース１を保持するときに、ユーザが掌外沿である小指Ｆ５の側部をあてがうことが可能な側面である指載部１６ａを有していることにより、この指載部１６ａに小指Ｆ５を載せることができるので、小指Ｆ５を違和感なく安定させた状態で指掛部１４に配置させることができ、これによっても機器ケース１を良好に握ることができる。
【００３７】
このため、この携帯端末機では、親指Ｆ１を除く複数の指Ｆ２〜Ｆ５を電池蓋１０の指掛部１４の一方の指当部１５ａに引っ掛けって機器ケース１の縦方向つまり長手方向と直交する方向に確実にかつ良好に引き寄せることにより、機器ケース１の側部を親指Ｆ１の付け根付近に確実に押し当てることができ、これにより機器ケース１を片手で確実にかつ良好に握ることができる。このため、この状態では、親指Ｆ１をキー操作部５上において自由に移動させることができるので、親指Ｆ１によるキー操作が良好にできる。
【００３８】
また、この携帯端末機では、指掛部１４が機器ケース１の横方向における中心位置を軸にして左右対称な形状に形成されていることにより、ユーザが機器ケース１を片手で握る際に、右手でも左手でも、機器ケース１を確実にかつ良好に握ることができるので、使い勝手の良いものを提供することができる。
【００３９】
また、この携帯端末機では、機器ケース１の第１の面である表面における縦方向上側に偏った位置に表示部４が設けられていることにより、ユーザが親指Ｆ１をキー操作部５に被せるように且つ機器ケース１をキー操作部５の脇から片手で掴むように機器ケース１を保持した際に、親指Ｆ１が表示部４を遮ることがなくキー操作部５上に配置されるので、表示部４に表示された情報を見ながら、親指Ｆ１をキー操作部５上において自由に移動させて、キー操作部５を良好にキー操作することができる。
【００４０】
また、この携帯端末機では、第１の突出領域１５における機器ケース１の横方向の長さがキー操作部５における横方向の長さよりも短く形成されていることにより、機器ケース１の長手方向と直交する横方向の幅が広くても、その幅よりも短い長さで機器ケース１を握ることができるので、手の大きさが小さいユーザでも確実にかつ良好に機器ケース１を握ることができる。
【００４１】
さらに、この携帯端末機では、指掛部１４がキー操作部５に対応する機器ケース１内に設けられて裏面側に開放された電池収納部１１を開閉可能に塞ぐ電池蓋１０に設けられていることにより、指掛部１４を機器ケース１に設ける必要がないので、機器ケース１の形状が簡単なり、機器ケース１を容易に製作することができると共に、指掛部１４を電池蓋１０に設けているので、指掛部１４を電池蓋１０と共に容易に製作することができる。
【００４２】
また、この携帯端末機では、指掛部１４の裏面に指規制凹部１５ｂが設けられていることにより、ユーザが機器ケース１を握った際に、指掛部１４の指規制凹部１５ｂに人差指Ｆ２を配置させることができるので、人差指Ｆ２の位置を確実にかつ良好に規制することができ、これにより機器ケース１を握った手が機器ケース１に対して位置ずれを起こすことがなく、良好に機器ケース１を保持することができる。
【００４３】
さらに、この携帯端末機では、機器ケース１の両側部から裏面側に向けて緩やかに湾曲して突出する湾曲形状に形成されていることにより、機器ケース１を片手で握った際に、手にフィットさせることができる。この場合、指掛部１４および電池蓋１０の各表面には、多数の溝や多数の凹凸などの滑止め部１７が設けられているので、機器ケース１を握った際に、滑止め部１７によって機器ケース１に対して手が不用意に滑らないように、良好に機器ケース１を握ることができる。
【００４４】
なお、上述した第１実施形態では、突出部である指掛部１４の第２の突出領域１６が、ユーザの掌外沿つまり小指Ｆ５の側部をあてがうことが可能な側面である指載部１６ａを備えている場合について述べたが、この発明はこれに限らず、例えば、第２の突出領域１６の縦方向の長さを短く形成して、薬指Ｆ４の側面をあてがって機器ケース１を保持するように構成しても良い。
【００４５】
（第２実施形態）
次に、図９〜図１２を参照して、この発明を適用した携帯端末機の第２実施形態について説明する。なお、図１〜図７に示された第１実施形態と同一部分には同一符号を付して説明する。
この携帯端末機は、図９〜図１２に示すように、機器ケース１の電池収納部１１に着脱可能に取り付けられる電池蓋２０が第１実施形態と異なる構成であり、これ以外は第１実施形態と同じ構成になっている。
【００４６】
すなわち、この電池蓋２０には、図９〜図１２に示すように、第１実施形態と同様、下部ケース３の両側部から裏面側に向けて緩やかに湾曲して突出する湾曲形状に形成された突起部である指掛部２１が設けられている。これにより、電池蓋２０は、下部ケース３の電池収納部１１に取り付けられた状態で、機器ケース１を片手で握った際に、指掛部２１によって手にフィットするように構成されている。
【００４７】
この場合、指掛部２１は、図９〜図１２に示すように、機器ケース１の裏面側に向けて読取突起部６ａよりも突出する第１の突出領域２２と、この第１の突出領域２２から電池蓋２０の下辺側に向けて緩やかに傾斜する第２の突出領域２３と、を有している。この指掛部２１と電池蓋２０との各表面には、第１実施形態と同様、多数の溝や多数の凹凸などの滑止め部１７が設けられている。
【００４８】
第１の突出領域２２は、図９〜図１２に示すように、キー操作部５を親指Ｆ１で操作すべく、ユーザが親指Ｆ１をキー操作部５に被せるように且つ機器ケース１をキー操作部５の脇から片手で掴むように機器ケース１を保持するときに、保持手の人差指Ｆ２の腹が電池蓋２０の縦方向における下辺部側に向けて押し当てられてユーザが力を込めることが可能な側面である指当部２２ａを有している。
【００４９】
この指当部２２ａは、図９〜図１２に示すように、電池蓋２０の縦方向における第１の突出領域２２の上辺側に急な傾斜面で立ち上がる立上り面である。また、この指当部２２ａは、機器ケース１の縦方向（長手方向）と直交する方向に沿って人差指Ｆ２の屈曲状態に対応する円弧状に湾曲して形成されている。
【００５０】
このため、この指掛部２１は、図９〜図１２に示すように、機器ケース１を片手で握る際に、人差指Ｆ２が屈曲した形状で人差指Ｆ２の腹が指当部２２ａにその湾曲に沿って押し当てられ、この状態で機器ケース１をその縦方向における下辺部側に向けて引き寄せるように構成されている。
【００５１】
第２の突出領域２３は、図９〜図１２に示すように、キー操作部５を親指Ｆ１で操作すべく、ユーザが親指Ｆ１をキー操作部５に被せるように且つ機器ケース１をキー操作部５の脇から片手で掴むように機器ケース１を保持するときに、ユーザが保持手の他の指Ｆ３〜Ｆ５の各腹で保持手側に向けてユーザが力を込めることが可能な湾曲面に形成されている。
【００５２】
すなわち、この第２の突出領域２３は、図９〜図１２に示すように、第１の突出領域２２の指当部２２ａが位置する上辺部から下辺側に向けて緩やかに傾斜する湾曲面に形成されている。また、この第２の突出領域２３には、中指Ｆ３の位置を規制する指規制凹部２３ａが設けられている。
【００５３】
これにより、第２の突出領域２３は、図９〜図１２に示すように、機器ケース１を片手で握る際に、指規制凹部２３ａに中指Ｆ３が配置されて位置規制されることにより、第２の突出領域２３上に配置される薬指Ｆ４と小指Ｆ５との各腹を第２の突出領域２３の湾曲面に沿って安定させた状態で良好に配置させるように構成されている。
【００５４】
次に、このような携帯端末機の作用について説明する。
この携帯端末機を使用する場合には、機器ケース１の電池収納部１１に取り付けられた電池蓋２０が位置する箇所の機器ケース１を片手で握る。このときには、親指Ｆ１を機器ケース１の表面のキー操作部５上に配置させ、人差指Ｆ２の腹を機器ケース１の裏面側に位置する電池蓋１０の指掛部２１における第１の突出領域２２の指当部２２ａに押し当て、他の指Ｆ３〜Ｆ５を指掛部２１の第２の突出領域２３上に配置させて、機器ケース１を握る。
【００５５】
すなわち、このときには、ユーザがキー操作部５を親指Ｆ１で操作すべく、ユーザが親指Ｆ１をキー操作部５に被せるように且つ機器ケース１をキー操作部５の脇から片手で掴むように機器ケース１を保持すると共に、保持手の人差指Ｆ２の腹が電池蓋２０の指掛部２１における第１の突出領域２２の指当部２２ａに押し当てられて第１の突出領域２２の縦方向における下辺部側に向けてユーザが力を込める。
【００５６】
この場合、人差指Ｆ２の腹が電池蓋２０の指掛部２１における第１の突出領域２２の指当部２２ａに押し当てられて第１の突出領域２２の縦方向における下辺部側に向けてユーザが力を込めると、人差指Ｆ２が屈曲した形状で人差指Ｆ２の腹が指当部２２ａにその湾曲に沿って押し当てられるので、機器ケース１がその縦方向における下辺部側に向けて引き寄せられる。
【００５７】
また、このときには、ユーザが親指Ｆ１をキー操作部５に被せるように且つ機器ケース１をキー操作部５の脇から片手で掴むように機器ケース１を保持すると共に、ユーザが保持手の他の指Ｆ３〜Ｆ５の各腹で保持手側に向けて力を込める。すると、指Ｆ３〜Ｆ５の各腹が第２の突出領域２３の湾曲面に沿って安定させた状態で良好に配置される。これらによって、ユーザが片手で機器ケース１を確実にかつ良好に保持することができる。
【００５８】
また、このようにユーザが機器ケース１を握る際には、第２の突出領域２３に設けられた指規制凹部２３ａに中指Ｆ３が配置されて位置規制されることにより、第２の突出領域２３上に配置される薬指Ｆ４と小指Ｆ５との各腹が第２の突出領域２３に対して縦方向に位置規制され、機器ケース１を握った手が機器ケース１に対して縦方向に位置ずれすることがなく、良好に機器ケース１を保持することができる。
【００５９】
さらに、この機器ケース１は、下部ケース３の両側部から裏面側に向けて緩やかに湾曲して突出する湾曲形状に形成されていることにより、機器ケース１を片手で握った際に、手にフィットする。この場合、機器ケース１を握った際には、指掛部１４および電池蓋１０の各表面に設けられた多数の溝や多数の凹凸などの滑止め部１７によって、機器ケース１に対して手が不用意に滑らないように、良好に機器ケース１を握ることができる。
【００６０】
このようにユーザが機器ケース１を握った際には、第１実施形態と同様、親指Ｆ１が表示部４を遮ることなくキー操作部５上に配置されるので、表示部４に表示された情報を見ながら、親指Ｆ１をキー操作部５上において自由に移動させて、キー操作部５を良好にキー操作することができる。
【００６１】
このように、この携帯端末機によれば、第１の面である表面における縦方向下側に偏った位置にキー操作部５が設けられて、縦方向に長い機器ケース１を備えた携帯端末機であって、キー操作部５の裏側に位置する第２の面である裏面に、機器ケース１の厚み方向に突出する突出部である指掛部２１が設けられ、この指掛部２１が、機器ケース１の裏面側に向けて読取突起部６ａよりも突出する第１の突出領域２２と、この第１の突出領域２２から電池蓋２０の下辺側に向けて緩やかに傾斜する第２の突出領域２３と、を有しているので、ユーザの手の大きさに係わらず、機器ケース１を片手で良好に握ることができる。
【００６２】
すなわち、この携帯端末機では、第１の突出領域２２が、キー操作部５を親指Ｆ１で操作すべく、ユーザが親指Ｆ１をキー操作部５に被せるように且つ機器ケース１をキー操作部５の脇から片手で掴むように機器ケース１を保持するときに、保持手の人差指Ｆ２の腹が電池蓋２０の縦方向における下辺部側に向けて押し当てられてユーザが力を込めることが可能な側面である指当部２２ａを有しているので、機器ケース１を片手で確実にかつ良好に握ることができる。
【００６３】
また、この携帯端末機では、第２の突出領域１６が、キー操作部５を親指Ｆ１で操作すべく、ユーザが親指Ｆ１をキー操作部５に被せるように且つ機器ケース１をキー操作部５の脇から片手で掴むよう機器ケース１を保持するときに、ユーザが保持手の他の指Ｆ３〜Ｆ５の各腹で保持手側に向けてユーザが力を込めることが可能な湾曲面に形成されているので、親指Ｆ１と人差指Ｆ２とを除く、他の指Ｆ３〜Ｆ５を違和感なく安定させた状態で第２の突出領域２３上に配置させることができ、これによっても機器ケース１を良好に握ることができる。
【００６４】
このため、この携帯端末機では、親指Ｆ１を除く他の複数の指Ｆ２〜Ｆ５を電池蓋１０の指掛部２１にあてがって機器ケース１を掴むことにより、機器ケース１の側部を親指Ｆ１の付け根付近に確実に押し当てることができ、これにより機器ケース１を片手で確実にかつ良好に握ることができる。このため、この状態では、親指Ｆ１をキー操作部５上において自由に移動させることができるので、親指Ｆ１によるキー操作が良好にできる。
【００６５】
この場合、指掛部２１は、キー操作部５に対応する機器ケース１内に設けられた電池収納部１１を開閉可能に塞ぐ電池蓋２０に設けられていることにより、第１実施形態と同様、指掛部２１を機器ケース１に設ける必要がないので、機器ケース１の形状が簡単なり、機器ケース１を容易に製作することができると共に、指掛部２１を電池蓋２０に設けているので、指掛部２１を電池蓋２０と共に容易に製作することができる。
【００６６】
また、指掛部２１の第１の突出領域２２は、その立上り面である指当部２２ａが機器ケース１の縦方向（長手方向）と直交する方向に沿って人差指Ｆ２の屈曲状態に対応する円弧状に湾曲して形成されているので、ユーザが親指Ｆ１をキー操作部５に被せるように且つ機器ケース１をキー操作部５の脇から片手で掴むように機器ケース１を保持するときに、保持手の人差指Ｆ２を屈曲させて指当部２２ａにその湾曲に沿って配置させることができ、これにより人差指Ｆ２を指当部２２ａに良好に引っ掛けて機器ケース１の縦方向における下辺側に向けて確実に引き寄せることができる。
【００６７】
この場合、指掛部２１の第２の突出領域２３には、中指Ｆ３の位置を規制する指規制凹部２３ａが設けられていることにより、機器ケース１を片手で握る際に、指規制凹部２３ａに中指Ｆ３を配置させて位置規制することができる。このため、第２の突出領域２３上に配置される薬指Ｆ４と小指Ｆ５とを安定させた状態で配置させることができるので、機器ケース１を握った手が機器ケース１に対して縦方向に位置ずれすることがなく、良好に機器ケース１を保持することができる。
【００６８】
この場合にも、指掛部２１および電池蓋２０の各表面には、第１実施形態と同様、多数の溝や多数の凹凸などの滑止め部１７が設けられているので、機器ケース１を握った際に、滑止め部１７によって機器ケース１に対して手が不用意に滑らないように、良好に機器ケース１を握ることができる。
【００６９】
さらに、この携帯端末機では、機器ケース１の第１の面である表面における縦方向上側に偏った位置に表示部４が設けられていることにより、第１実施形態と同様、ユーザが親指Ｆ１をキー操作部５に被せるように且つ機器ケース１をキー操作部５の脇から片手で掴むように機器ケース１を保持した際に、親指Ｆ１が表示部４を遮ることなくキー操作部５上に配置されるので、表示部４に表示された情報を見ながら、親指Ｆ１をキー操作部５上において自由に移動させて、キー操作部５を良好にキー操作することができる。
【００７０】
（第３実施形態）
次に、図１３〜図１６を参照して、この発明を適用した携帯端末機の第３実施形態について説明する。この場合にも、図１〜図７に示された第１実施形態と同一部分には同一符号を付して説明する。
この携帯端末機は、図１３〜図１６に示すように、機器ケース１の電池収納部１１に着脱可能に取り付けられる電池蓋３０が第１実施形態と異なる構成であり、これ以外は第１実施形態と同じ構成になっている。
【００７１】
すなわち、この電池蓋３０には、図１３〜図１６に示すように、機器ケース１の裏面側に向けて盛り上がるほぼ箱形状の指掛部３１が形成されている。この指掛部３１は、電池蓋３０が機器ケース１の電池収納部１１に取り付けられた際に、下部ケース３の両側部附近から裏面側に向けてほぼ垂直に延び、その延びた部分が下部ケース３の読取突起部６ａよりも突出し、この突出した部分がほぼ平坦な形状に形成されていることにより、全体がほぼ四角形のほぼ箱状に形成されている。
【００７２】
これにより、この電池蓋３０は、図１３〜図１６に示すように、機器ケース１の電池収納部１１に取り付けられた際に、電池収納部１１の収納容積が指掛部３１によって第２実施形態の電池蓋２０の場合よりも、大幅に大きくなるように構成されている。このため、この電池蓋３０が取り付けられた電池収納部１１は、その内部に大容量の充電池１２が収納されるように構成されている。
【００７３】
この場合にも、この電池蓋３０は、図１３〜図１６に示すように、下部ケース３の両側部から裏面側に向けて緩やかに湾曲して突出する湾曲形状に形成されている。これにより、電池蓋３０は、下部ケース３の電池収納部１１に取り付けられた状態で、機器ケース１を片手で握った際に、手にフィットし易くなるように構成されている。
【００７４】
この指掛部３１は、図１３〜図１６に示すように、電池蓋３０の上辺側にその裏面側に向けて読取突起部６ａよりも突出する第１の突出領域３２と、電池蓋３０の下辺側にその裏面側に向けて読取突起部６ａよりも突出する第２の突出領域３３と、を有している。
【００７５】
第１の突出領域３２は、図１３〜図１６に示すように、キー操作部５を親指Ｆ１で操作すべく、ユーザが親指Ｆ１をキー操作部５に被せるように且つ機器ケース１をキー操作部５の脇から片手で掴むように機器ケース１を保持するときに、保持手の人差指Ｆ２の腹が電池蓋３０の縦方向における下辺部側に向けて押し当てられてユーザが力を込めることが可能な側面である第１指当部３２ａを有している。
【００７６】
この第１指当部３２ａは、図１３〜図１６に示すように、電池蓋３０の縦方向における第１の突出領域３２の上辺側に急な傾斜面で立ち上がる立上り面である。また、この第１指当部３２ａは、機器ケース１の縦方向（長手方向）と直交する方向に沿って人差指Ｆ２の屈曲状態に対応する円弧状に湾曲して形成されている。
【００７７】
このため、この第１の突出領域３２は、図１３〜図１６に示すように、機器ケース１を片手で握る際に、人差指Ｆ２が屈曲した形状で人差指Ｆ２の腹が第１指当部３２ａにその湾曲に沿って押し当てられ、この状態で機器ケース１をその縦方向における下辺部側に向けて引き寄せるように構成されている。
【００７８】
第２の突出領域３３は、図９〜図１２に示すように、キー操作部５を親指Ｆ１で操作すべく、ユーザが親指Ｆ１をキー操作部５に被せるように且つ機器ケース１をキー操作部５の脇から片手で掴むように機器ケース１を保持するときに、ユーザが保持手の他の指Ｆ３〜Ｆ５の各指先を電池蓋３０の裏面に突き当てた状態で他の指Ｆ３〜Ｆ５の各腹で第２の突出領域３２に対して保持手側に向けてユーザが力を込めることが可能な側面である第２指当て部３３ａを有している。
【００７９】
この第２指当部３３ａは、図１３〜図１６に示すように、電池蓋３０の縦方向と直交する横方向における第２の突出領域３３の左右両側に急な傾斜面で立ち上がる立上り面である。また、第２の突出領域３３には、中指Ｆ３の位置を規制する指規制凹部３３ｂが設けられている。これにより、第２の突出領域３３は、機器ケース１を片手で握る際に、指規制凹部３３ｂに中指Ｆ３が配置されて位置規制されることにより、第２の突出領域３３上に配置される薬指Ｆ４と小指Ｆ５とを安定させた状態で配置させるように構成されている。
【００８０】
さらに、この指掛部３１および電池蓋３０の各表面には、図１４〜図１６に示すように、第１実施形態と同様、多数の溝や多数の凹凸などの滑止め部１７が設けられている。これにより、電池蓋３０および指掛部３１は、これの箇所で機器ケース１を握った際に、その握った手が機器ケース１に対して不用意に滑らないように構成されている。
【００８１】
次に、このような携帯端末機の作用について説明する。
この携帯端末機を使用する場合には、機器ケース１の電池収納部１１に取り付けられた電池蓋３０が位置する箇所の機器ケース１を片手で握る。このときには、親指Ｆ１を機器ケース１の表面のキー操作部５上に配置させ、人差指Ｆ２を機器ケース１の裏面側に位置する電池蓋３０の指掛部３１の上辺側に位置する第１の突出領域３２の第１指当部３２ａに押し当て、他の指Ｆ３〜Ｆ５を電池蓋３０の指掛部２１の下辺側に位置する第２の突出領域３３における左右両側の第２指当部３３ａに引っ掛けて、機器ケース１を握る。
【００８２】
すなわち、このときには、ユーザがキー操作部５を親指Ｆ１で操作すべく、ユーザが親指Ｆ１をキー操作部５に被せるように且つ機器ケース１をキー操作部５の脇から片手で掴むように機器ケース１を保持するときに、保持手の人差指Ｆ２の腹が電池蓋３０の指掛部３１における第１の突出領域３２の第１指当部３２ａに押し当てられて第１の突出領域３２の縦方向における下辺部側に向けてユーザが力を込める。
【００８３】
この場合、人差指Ｆ２の腹が電池蓋３０の指掛部３１における第１の突出領域３２の第１指当部３２ａに押し当てられて第１の突出領域３２の縦方向における下辺部側に向けてユーザが力を込めると、人差指Ｆ２が屈曲した形状で人差指Ｆ２の腹が第１指当部３２ａにその湾曲に沿って押し当てられるので、機器ケース１がその縦方向における下辺部側に向けて引き寄せられる。
【００８４】
また、このときには、ユーザが親指Ｆ１をキー操作部５に被せるように且つ機器ケース１をキー操作部５の脇から片手で掴むように機器ケース１を保持するときに、保持手の他の指Ｆ３〜Ｆ５の各指先を電池蓋３０の裏面に突き当てた状態で他の指Ｆ３〜Ｆ５の各腹で第２の突出領域３３の第２指当部３３ａに対して保持手側に向けてユーザが力を込める。
【００８５】
このようにユーザが機器ケース１を握る際には、第２の突出領域３３に設けられた指規制凹部３３ｂに中指Ｆ３が配置されて位置規制されることにより、第２の突出領域３３上に配置される薬指Ｆ４と小指Ｆ５との各腹が第２の突出領域３３に対して縦方向に位置規制され、機器ケース１を握った手が機器ケース１に対して縦方向に位置ずれすることがなく、良好に機器ケース１を保持することができる。
【００８６】
さらに、この機器ケース１は、下部ケース３の両側部から裏面側に向けて緩やかに湾曲して突出する湾曲形状に形成されていることにより、機器ケース１を片手で握った際に、手にフィットする。この場合、機器ケース１を握った際には、指掛部３１および電池蓋３０の各表面に設けられた多数の溝や多数の凹凸などの滑止め部１７によって、機器ケース１に対して手が不用意に滑らないように、良好に機器ケース１を握ることができる。
【００８７】
このようにユーザが機器ケース１を握った際には、第１実施形態と同様、親指Ｆ１が表示部４を遮ることなくキー操作部５上に配置されるので、表示部４に表示された情報を見ながら、親指Ｆ１をキー操作部５上において自由に移動させて、キー操作部５を良好にキー操作することができる。
【００８８】
このように、この携帯端末機によれば、第１の面である表面における縦方向下側に偏った位置にキー操作部５が設けられて、縦方向に長い機器ケース１を備えた携帯端末機であって、キー操作部５の裏側に位置する第２の面である裏面に、機器ケース１の厚み方向に突出する突出部である指掛部３１が設けられ、この指掛部３１が、電池蓋３０の上辺側にその裏面側に向けて突出する第１の突出領域３２と、電池蓋３０の下辺側にその裏面側に向けて突出する第２の突出領域３３と、を有しているので、機器ケース１を片手で良好に握ることができる。
【００８９】
すなわち、この携帯端末機では、第１の突出領域３２が、キー操作部５を親指Ｆ１で操作すべく、ユーザが親指Ｆ１をキー操作部５に被せるように且つ機器ケース１をキー操作部５の脇から片手で掴むように機器ケース１を保持するときに、保持手の人差指Ｆ２の腹が電池蓋２０の縦方向における下辺部側に向けて押し当てられてユーザが力を込めることが可能な側面である第１指当部３２ａを有しているので、機器ケース１を片手で確実にかつ良好に握ることができる。
【００９０】
また、この携帯端末機では、第２の突出領域３３が、図９〜図１２に示すように、キー操作部５を親指Ｆ１で操作すべく、ユーザが親指Ｆ１をキー操作部５に被せるように且つ機器ケース１をキー操作部５の脇から片手で掴むように機器ケース１を保持するときに、ユーザが保持手の他の指Ｆ３〜Ｆ５の各指先を電池蓋３０の裏面に突き当てた状態で他の指Ｆ３〜Ｆ５の各腹で第２の突出領域３３に対して保持手側に向けてユーザが力を込めることが可能な側面である第２指当て部３３ａを有しているので、これによっても機器ケース１を片手で確実にかつ良好に握ることができる。
【００９１】
この場合、指掛部３１は、キー操作部５に対応する機器ケース１内に設けられた電池収納部１１を開閉可能に塞ぐ電池蓋３０に設けられていることにより、第１実施形態と同様、指掛部３１を機器ケース１に設ける必要がないので、機器ケース１の形状が簡単なり、機器ケース１を容易に製作することができると共に、指掛部３１を電池蓋３０に設けているので、指掛部３１を電池蓋３０と共に容易に製作することができる。
【００９２】
この場合、第１の突出領域３２は、その上辺側に位置する第１指当部３２ａが機器ケース１の縦方向（長手方向）と直交する方向に人差指Ｆ２の屈曲状態に対応する円弧状に湾曲して形成されているので、機器ケース１を片手で握る際に、親指Ｆ１をキー操作部５上に載せた状態で、人差指Ｆ２を屈曲して第１指当部３２ａにその湾曲に沿って配置することができ、これにより機器ケース１をその縦方向に確実にかつ良好に引き寄せることができる。
【００９３】
また、第２の突出領域３３には、中指Ｆ３の位置を規制する指規制凹部３３ｂが設けられていることにより、機器ケース１を片手で握る際に、指規制凹部３３ｂに中指Ｆ３を配置させて位置規制することができる。このため、第２の突出領域３３上に配置される薬指Ｆ４と小指Ｆ５とを安定させた状態で配置させることができるので、第２実施形態と同様、機器ケース１を握った手が機器ケース１に対して縦方向に位置ずれすることがなく、良好に機器ケース１を保持することができる。
【００９４】
このため、この携帯端末機では、機器ケース１の側面部を親指Ｆ１の付け根付近に確実に押し当てることができるので、機器ケース１を片手で確実にかつ良好に握ることができ、これにより親指Ｆ１をキー操作部５上において自由に移動させることができるので、親指Ｆ１によるキー操作が良好にできる。
【００９５】
この場合にも、指掛部３１および電池蓋３０の各表面には、第１実施形態と同様、多数の溝や多数の凹凸などの滑止め部１７が設けられているので、機器ケース１を握った際に、滑止め部１７によって手が機器ケース１に対して不用意に滑らないように、良好に機器ケース１を握ることができる。
【００９６】
また、この携帯端末機では、機器ケース１の第１の面である表面における縦方向上側に偏った位置に表示部４が設けられていることにより、第１実施形態と同様、ユーザが親指Ｆ１をキー操作部５に被せるように且つ機器ケース１をキー操作部５の脇から片手で掴むように機器ケース１を保持した際に、親指Ｆ１が表示部４を遮ることなくキー操作部５上に配置されるので、表示部４に表示された情報を見ながら、親指Ｆ１をキー操作部５上において自由に移動させて、キー操作部５を良好にキー操作することができる。
【００９７】
なお、上述した第１〜第３の各実施形態では、機器ケース１の上面にキー操作部５を設けた場合について述べたが、この発明はこれに限らず、例えば操作部は透明なタッチパネルと表示パネルとを積層させた入力表示部であっても良い。
【００９８】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００９９】
（付記）
請求項１に記載の発明は、第１の面における縦方向下側に偏った位置に操作部が設けられ、前記縦方向に長い携帯端末機であって、前記操作部の裏側に位置する第２の面に、当該携帯端末機の厚み方向に突出する突出部が設けられ、前記突出部は、前記縦方向に延伸する第１の突出領域と、前記縦方向下側で前記第１の突出領域に連なり且つ前記縦方向下側に進むにつれ横方向に拡がる第２の突出領域と、を有し、前記第１の突出領域は、ユーザが前記操作部を親指で操作すべく、前記ユーザが前記親指を前記操作部に被せるように且つ当該携帯端末機を前記操作部の脇から片手で掴むように当該携帯端末機を保持するときに、前記ユーザが保持手の他の指の指先を前記第２の面に突き当てた状態で前記他の指の腹で当該第１の突出領域に対して前記保持手側に向けて前記ユーザが力を込めることが可能な側面を有し、前記第２の突出領域は、前記ユーザが前記操作部を前記親指で操作すべく、前記ユーザが前記親指を前記操作部に被せるように且つ当該携帯端末機を前記操作部の脇から片手で掴むように当該携帯端末機を保持するときに、前記ユーザが掌外沿をあてがうことが可能な側面を有していることを特徴とする携帯端末機である。
【０１００】
請求項２に記載の発明は、前記突出部は、前記横方向における中心位置を軸にして左右対称な形状に形成されていることを特徴とする請求項１に記載の携帯端末機である。
【０１０１】
請求項３に記載の発明は、前記第１の面における縦方向上側に偏った位置に表示部が設けられていることを特徴とする請求項１または２に記載の携帯端末機である。
【０１０２】
請求項４に記載の発明は、前記第１の突出領域は、前記横幅方向の長さが前記操作部における横幅方向の長さよりも短く形成されていることを特徴とする請求項１から３の何れかに記載の携帯端末機である。
【０１０３】
請求項５に記載の発明は、前記突出部は、当該携帯端末機の内部に前記操作部と対応して設けられて前記第２の面に開放された電池収納部に開閉可能に取り付けられた電池蓋に、当該携帯端末機の厚み方向に突出して設けられていることを特徴とする請求項１から４の何れかに記載の携帯端末機である。
【符号の説明】
【０１０４】
１  機器ケース
２  上部ケース
３  下部ケース
４  表示部
５  キー入力部
１０、２０、３０  電池蓋
１１  電池収納部
１２  充電池
１４、２１、３１  指掛部
１５、２２、３２  第１の突出領域
１５ａ、２２ａ  指当部
１５ｂ、２３ａ、３３ｂ  指規制凹部
１６、２３、３３  第２の突出領域
１６ａ  指載部
１７  滑止め部
３２ａ  第１指当部
３３ａ  第２指当部
【図１】
2018120500.tif 000003
【図２】
2018120500.tif 000004
【図３】
2018120500.tif 000005
【図４】
2018120500.tif 000006
【図５】
2018120500.tif 000007
【図６】
2018120500.tif 000008
【図７】
2018120500.tif 000009
【図８】
2018120500.tif 000010
【図９】
2018120500.tif 000011
【図１０】
2018120500.tif 000012
【図１１】
2018120500.tif 000013
【図１２】
2018120500.tif 000014
【図１３】
2018120500.tif 000015
【図１４】
2018120500.tif 000016
【図１５】
2018120500.tif 000017
【図１６】
2018120500.tif 000018